(57)【要約】【課題】携帯に便利なように小型で、携帯時の状態と使用時の状態に容易に変更でき、ブラシとともに歯磨き劑を収納できる携帯用歯ブラシを提供する。【解決手段】ブラシ２を植設し柄の一部を形成するブラシ本体１と、一方の側面を解放面にした細長いケース３とを、一方端相互を枢軸６を介して折り畳み可能に連結する。携帯時は、ブラシ本体１がブラシ２を内側にして前記ケース３の解放面を塞ぐように折り畳み、使用時はブラシ本体１を指で回動させて開き、ケース３を柄にする。ブラシ２を収納したケース内の空所８に、歯磨き劑のチューブ９、あるいは歯磨き劑を充填したタンク１１と、タンク１１内の歯磨き劑をブラシ面に押し出す押出装置１３を収納している。【選択図】    図４
2004242985.tif 000002
【特許請求の範囲】
【請求項１】
ブラシと柄の一部からなるブラシ本体と、一方の側面を解放面にした細長いケースとをそなえ、前記ブラシ本体とケースの一方端相互を折り畳み可能に連結し、折り畳んだ状態でブラシ本体がブラシを内側にして前記ケースの解放面を塞ぐようにし、ケース内に前記ブラシとともに歯磨き劑を収納できるようにしたことを特徴とする携帯用歯ブラシ。
【請求項２】
前記ブラシ本体とケースの一方の端部相互を枢軸を介して折り畳み可能に連結した請求項１の携帯用歯ブラシ。
【請求項３】
ブラシと柄の一部からなるブラシ本体と、一方の側面を解放面にした細長いケースとをそなえ、前記ブラシ本体とケースの一方端相互を折り畳み可能に連結し、折り畳んだ状態でブラシ本体がブラシを内側にして前記ケースの解放面を塞ぐようにし、ケース内に、歯磨き劑を収納するタンクと、タンクからケース内のブラシ面に向けて開口する導通路と、ケースの外側から操作してタンク内の歯磨き劑を導通路に押し出す押出装置とをそなえたことを特徴とする携帯用歯ブラシ。
【発明の詳細な説明】
【０００１】
【発明の属する技術分野】
本発明は、とくに旅行などの携帯用として適した構造の歯ブラシに関する。
【０００２】
【従来の技術】
従来から携帯用に構成した歯ブラシとしては、歯ブラシと歯磨き劑チューブとを１つの容器に収納したもののほかに、
【特許文献１】特開２００１−２６９２２５号には、歯ブラシの端部に細長い容器を柄の一部として連結し、この容器に嵌合させるキャップを設け、携帯時はキャップをブラシ側から容器に嵌合させてブラシを保護し、使用時は反対の容器側から嵌合させて柄として使用する万年筆形のものが示されている。
【特許文献２】特開平１１−４６８６７号には、ブラシと柄の一部からなるブラシ本体を、中空にした把持部の一端に着脱可能に連結し、把持部の中空内に歯磨き劑のチューブを収納し、ブラシ部を覆うキャップを設けてブラシを保護し、このキャップにポケットなどに留める係止片を設けている。
【特許文献３】特開２０００−３０８５２５号に示された歯磨きセットは、柄として使用されるケースに軸方向の歯ブラシ挿入穴を設けて、この挿入穴に歯ブラシ本体の柄をスライド可能に挿入して使用時に引き出すようにし、このケースに歯磨きチューブを収納させ、ケースに収納されないブラシ部分はキャップで覆うようにしている。
【０００３】
なお、歯ブラシと歯磨き劑を一体にした構造として、
【特許文献４】特開平３−２１４９４９号には、ブラシ本体を着脱可能に連結するカートリッジに歯磨き劑を収納し、ブラシ本体に歯磨き劑の通路を設けてカートリッジを押圧して歯磨き劑を前記通路を通してブラシに供給するようにしたものが示されている。
また、
【特許文献５】特開２００１−２３８７３０号にも、ブラシ本体を連結する柄体に歯磨き劑を収納し、外部から押圧して歯磨き劑をブラシ本体内の通路を介してブラシ背部に供給するものが示されており、同様にブラシ本体に設けた通路を介してブラシに歯磨き劑を供給するものが他にも多く提案されている。
【０００４】
【発明が解決しようとする課題】
このように従来の携帯用歯ブラシは、ブラシ本体と柄の一部とを分割して着脱可能に連結するようにしており、携帯用時には柄になるケースに嵌め込むキャップを設けてブラシを保護するようにしているので、使用時に、キャップを付け替えたり、携帯時の長さを短くするために分割したブラシ本体と柄とを差し込みやねじ込みにより連結するなどの手数を要している。
また、歯磨き劑を柄の部分に一体に収納し、押圧してブラシに供給するものでは、長さを短くできず、ブラシ本体に通路を設けるために構造が面倒でコストが高くなり、柄の中を通すため通路が小さく、通路内で歯磨き劑が固まり易く、固まった歯磨き劑の除去が困難であるなどの欠点がある。
【０００５】
本発明は、ブラシ本体の構造を簡単にし、全体を小型化するとともにキャップを不要にし、使用時には柄として使用するケース内の空所に歯磨き劑のチューブを収納でき、また、歯磨き劑をブラシに供給する場合も、ブラシ面に供給してブラシ本体に通路を設ける必要がない構成を提供するものである。
【０００６】
【課題を解決するための手段】
このため本発明は、ブラシを植設し柄の一部を構成するブラシ本体と、柄の他の部分を形成し一方の側面を解放面にした細長いケースとをそなえ、前記ブラシ本体とケースの一方端相互を折り畳み可能に連結し、携帯時は、折り畳んだ状態でブラシ本体がブラシを内側にしてケースの解放面を塞ぐようにしてブラシを保護し、使用時はブラシ本体とケースを開いて使用状態にするとともに、ケース内にブラシとともに歯磨き劑のチューブを収納できるようにしている。
【０００７】
また、前記のケース内に、歯磨き劑のチューブに替えて歯磨き劑を収納するタンクと、タンクからケース内のブラシ面に向けて開口する導通路と、タンク内の歯磨き劑を導通路に押し出す押出装置と、ケースの外面から押出装置を操作して歯磨き劑を押し出す操作片をそなえ、使用時のブラシ本体を開く前に、ケース外からピストンを操作して歯磨き劑をブラシ面に供給することができようにしている。
【０００８】
【発明の実施の形態】
以下、図１ないし図３に示す実施例について説明する。
１は一方端にブラシ２を植設し柄の一部を形成するブラシ本体で、通常の歯ブラシの半分程度の長さにしている。３は一方の側面を解放した断面コ字状の細長いケースで、一方端の両側に軸受４、４を形成しており、前記ブラシ本体１のブラシとは反対側端の連結部５を、前記軸受４、４の間に挟んで枢軸６により１８０゜回動できるように連結している。７はケース３の解放面にブラシ本体１の形状に合わせて側面から突出させた張り出し部、８はケース３内の空所、９は前記空所８に収納した歯磨き劑のチューブである。
【０００９】
携帯時は、図１のようにブラシ本体１とケース３を枢軸６を中心にしで折り畳み、ケース３の張り出し部７、７間にブラシ本体１が挿入されてケース３の解放面を塞いだ状態で長さを短くし、ブラシ２をケース３内に収納保護している。
使用時はブラシ本体１の先端部に指を当てて回動させ、図２のように連結部５がケース３の底面に当たって止まる位置まで１８０゜回動させ、ケース３内のチューブ９を取り出して歯磨きを行う。
【００１０】
図４ないし図６は、他の実施例を示すもので、図１と同じ部分に同一の符号を付している。
１１はケース３内のブラシ収納部分以外の空所８に設けたタンクで、歯磨き劑を充填してある。１２はこのタンクから収納状態のブラシ２の面に向けて開口する導通路、１３はタンク１１内の歯磨き劑を導通路に押し出す押出装置、たとえばピストン、１４はピストンロッド、１５はピストンロッド１４の端に直交方向に取り付けた操作片で、ケース両側面の長孔１６に係合させて外部からピストン１３を操作できるようにしている。１７は操作の目安にするスケール、１８はタンク１１に歯磨き劑を補充する注入口、１９は導通路１２の開口を塞ぐ薄い可撓板である。
【００１１】
ブラシ本体１とケース３は、前述の実施例と同様に枢軸６で折り畳めるようにしてある。このケース３内のタンク１１に歯磨き劑を充填しておき、使用時にブラシ本体１を開く前に、ケース側面に突出させた操作片１５を長孔１６に沿って移動させ、押出装置１３を押してタンク１１内の歯磨き劑を導通路１２を介して押し出し、可撓板１９を押し開いてブラシ２の面に歯磨き劑を付着させる。この操作でブラシ２に適量の歯磨き劑を付けたのち、ブラシ本体１を回動させて開けばそのままで歯磨きを行うことができる。
【００１２】
なお、タンク１１を蛇腹式にし、タンクの外側に押出装置１３を設けてタンクを圧縮させるようにしてもよい。また、いずれの場合も図７に示すように、ケース３の軸受４側端の底面にブラシ本体１の連結部５の回動を阻害しないように突起１０を設けておけば、ブラシ本体１の回動量を小さくし、使用時にブラシ本体１をケース３に対して傾斜させた状態にすることができる。
なお、必要があれば、ケース２の底面あるいは側面に係止具を設けてポケットの縁などに挟むこともできる。
【００１３】
図８ないし図１０はさらに別の実施例を示すもので、ケース３の底板３１の端部に取付部３２をそなえ、この取付部３２とブラシ本体１の連結部５を、屈曲部３３を介して繰り返し屈曲可能な可撓性合成樹脂で一体に形成し、この底板３１および取付部３２の両側に側板３４、３５を形成させている。
ブラシ本体１は、ブラシ２を植設した短い柄と連結部５とを、前記連結部５に設けた挿入孔にブラシ側の柄を差し込んで連結形成しており、連結部５の両側面に係合突起５１、５１をそなえている。両側の側板３４、３５には、それぞれ取付部３２の上部内面に開口する係合孔３６、および取付部３２の先端側内面に開口する係合孔３７をそなえ、前記係合突起５１、５１を係合保持させるようにしている。したがって、側板３４、３５は係合突起を挿脱できるように可撓性をそなえた合成樹脂であることが望ましい。
【００１４】
この実施例では、ケース３とブラシ本体１の連結部５が屈曲部３３を介して合成樹脂で一体に形成されており、携帯時は、ブラシ本体１をケース３側に折り畳んで連結部５の両側に設けた係合突起５１、５１を側板３３、３４の係合孔３６に係合させて保持させる。また、使用時はブラシ本体１を開いて係合突起５１、５１を取付部より先端側の係合孔３７、３７に係合させて保持させる。
なお、ケース３の空所８に歯磨き劑のチューブを収納し、あるいはタンクと導通路および押出装置を設けて外部から操作させ得ることは前述の実施例と同様である。また、屈曲部３３に替えて取付部３２と連結部５をヒンジで連結することもできる。
【００１５】
また、図に示した実施例では、いずれもケース３を断面コ字状にした形状で示しているが、一部に解放面をそなえた円形や楕円形断面など適宜形状のケースにすることができる。
また、ブラシ本体１は、ブラシ２を植設した部分と連結部５をそなえた部分に分割して図８の実施例のように、差し込みなどで簡単に結合させるようにしておけば、ブラシ２が摩耗したときにブラシ２の部分のみを交換して、連結部の部分とケース３を継続して使用できる。
【００１６】
【発明の効果】
このように本発明は、ブラシ本体と、柄の一部を形成するケースとを、一方端相互を折り畳み可能に連結し、折り畳むことによりブラシ本体がケースの蓋になってブラシをケース内に収納し、ブラシを清潔に保持するとともに、ケース内に歯磨き劑を格納する空所を形成することもでき、小型でブラシの保護を確実に行い、ブラシ本体とケースとを開閉するだけで簡単に携帯状態と使用状態に変更することができる。
また、ケース内に歯磨き劑を収納するタンクを設け、外部からタンク内の歯磨き劑をブラシ面に供給するようにでき、携帯に便利であるとともに、使用時にチューブから歯磨き劑を絞り出してブラシに付けるなどの手数を省いて操作を簡単にし得るなどの効果がある。なお、歯磨き劑をブラシ面に供給するので、ブラシ本体に通路を設ける必要がなく、構造が簡単になり、ブラシの摩耗に応じてブラシを取り替えるようにすることができるなどの利点がある。
【図面の簡単な説明】
【図１】本発明の実施例を示す携帯時の側断面図である。
【図２】図１の実施例における使用時の状態を示す側断面図である。
【図３】図２の上面図である。
【図４】他の実施例を示す携帯時の側断面図である。
【図５】図４の実施例における使用時の状態を示す側断面図である。
【図６】図４の側面図である。
【図７】別の実施例を示す一部の側断面図である。
【図８】さらに別の実施例を示す携帯時の側断面図である。
【図９】図８の実施例における使用時の状態を示す側断面図である。
【図１０】図９の上面図である。
【符号の説明】
１  ブラシ本体
２  ブラシ
３  ケース
４  軸受
５  連結部
６  枢軸
７  張り出し部
８  空所
９  チューブ
１０  突起
１１  タンク
１２  導通路
１３  押出装置
１４  ピストンロッド
１５  操作片
１６  長孔
１７  スケール
１８  注入口
３１  底板３１
３２  取付部
３３  屈曲部
３４、３５  側板
３６、３７  係合孔
５１  係合突起
【図１】
2004242985.tif 000003
【図２】
2004242985.tif 000004
【図３】
2004242985.tif 000005
【図４】
2004242985.tif 000006
【図５】
2004242985.tif 000007
【図６】
2004242985.tif 000008
【図７】
2004242985.tif 000009
【図８】
2004242985.tif 000010
【図９】
2004242985.tif 000011
【図１０】
2004242985.tif 000012